(57)【要約】【課題】缶飲料の飲み口にある溝部の清掃が行い難い。【解決】缶飲料の飲み口部分にある凹部分の清掃を行うために凸部を形成する構造を有する円盤状の缶飲料の飲み口清掃具を、構成することにより簡便に缶飲料の飲み口を清掃することが出来る。 【選択図】  図1
2020163236.tif 000002
【特許請求の範囲】
【請求項１】
缶飲料の缶の飲み口の口径より大きい口径の円盤状の平板と円盤状の平板を回転体としこれと同径のリングを外周リングとして備え、凸部を１個若しくは複数個この外周リングの内側に配置する構造を特徴とする缶飲料の飲み口清掃具。
【請求項２】
前記凸部は一枚の円弧状の板に取り付けられさらにそれを前記外周リングに固定されることを特徴とする請求項１記載の缶飲料の飲み口清掃具。
【請求項３】
前記凸部の構造として、正三角形若しくは二等辺三角形若しくは直角三角形若しくはこれらの混合として配置されることを特徴とする請求項１乃至請求項２記載の缶飲料の飲み口清掃具。
【請求項４】
凸部の先端構造として円弧状にＲの付けられた構造とし、このＲの直径は構成する三角形の辺の長さの５０パーセント未満とし、長さがそれぞれ相違する場合はその平均値の値の５０パーセント未満として形成されることを特徴とする請求項１乃至請求項３記載の缶飲料の飲み口清掃具。
【請求項５】
缶飲料の缶のタブ起こしをする凸部を前記円盤体の辺端に取り付ける構造を有することを特徴とする請求項１乃至請求項４記載の缶飲料の飲み口清掃具。
【請求項６】
ペットボトルキャップあけの穴を前記タブ起こしの凸部の裏面に若しくは前記円盤状の平板の凸部が取り付けられた面の反対の面にこの円盤状の平板の中心に対して変心の中心位置にこのペットボトルキャップ開けの穴の中心を備えることを特徴とする請求項１乃至請求項５記載の缶飲料の飲み口清掃具。
【発明の詳細な説明】
【技術分野】
【０００１】
本発明は、缶飲料の飲み口を効率よく清掃するものである。
【背景技術】
【０００２】
缶飲料の飲み口は常に外部環境にさらされており、汚れやすいものである。
【０００３】
飲み口にある溝部に汚れが付着しやすく、この溝部分の清掃が行い難い為これを行う清掃具が必要である。
【先行技術文献】
【特許文献】
【０００４】
【特許文献１】実開平５−５４２８４
【発明の概要】
【発明が解決しようとする課題】
【０００５】
缶飲料の飲み口にある溝部は清掃しにくく、かつ汚れがたまりやすい。
【０００６】
ティッシュやハンカチで拭くにも細かく折りたたんでこの溝部に挿入するか、押し込み外周にそって拭くしかなかった。
【０００７】
開示先行情報の様に、飲み口においてこの部分を覆うしかなかった。
【課題を解決するための手段】
【０００８】
缶飲料の飲み口にある溝部の清掃をするための凸部を備え、これを支持する缶の外周を固定する円盤部と外周リングを構成する。
【０００９】
この円盤部を缶の外周にそって回転させることで、飲み口の溝部に凸部が入り込みこの部分の清掃を行うものである
【００１０】
又、この缶飲料の飲み口清掃具と缶の間に、布やティッシュを挟み込んで回転させることでよりよく清掃することが出来る。
【発明の効果】
【００１１】
缶飲料の飲み口の清掃が、簡便に行うことが出来る。
【００１２】
近くにティッシュや布類がない場合において、シャツの端を使い缶飲料の飲み口の清掃を行わないでよくなる。
【図面の簡単な説明】
【００１３】
【図１】本発明の実施形態に係る(a)は缶飲料の飲み口清掃具の正面図、(b)は上面図、(c)は下面図、(d)は側面図である。
【図２】本発明の実施形態に係る缶飲料の飲み口清掃具を大きい缶飲料に取り付けを示す図 (a)、取り付け状況を示す拡大図 (b)、小さい缶飲料に取り付けを示す図(c)である。
【図３】本発明の実施形態に係る缶飲料の飲み口清掃具と缶飲料の間に布類やティッシュなどの紙類を挟み込んで使用することを示す図である。
【図４】本発明の実施形態に係る缶飲料の飲み口清掃具の凸部の構造とこの交換するための構造を示す図である。
【図５】本発明の実施形態に係る缶飲料の飲み口清掃具の凸部の取り付け範囲と支持部の取り付け状況を示す図である。
【図６】本発明の実施形態に係る缶飲料の飲み口清掃具においてタブ起しを付けた構造を示す斜視図である。
【図７】本発明の実施形態に係る缶飲料の飲み口清掃具においてペットボトルのキャップ回しを取り付けたことを示す図である。
【発明を実施するための最良の形態】
【００１４】
以下、本発明の実施例について図面を参照して説明する。
【実施例１】
【００１５】
基本的な構成の実施例。
【００１６】
缶飲料の飲み口清掃具の凸部１０２の構造は三角形状を基本としていて図１(a)に示すように並列していて、(c)が示すように缶飲料の飲み口清掃具の外周リング１０４内側に１０３凸部ガイドに取り付けられた１０２が取り付けられているために缶溝に入りやすい円弧形状を形成している。
【００１７】
１０２凸部は１０４外周リングと同じＲ形状を持つ１０３に取り付けられるが、これらは１０４外周リングへ１０３凸部ガイドの凸部取り付け部と反対側の円弧状に盛り上がってる面を平行に取り付ける。図６(b)に示す。
【００１８】
凸部１０２はこの凸部ガイド１０３の内側面つまり円盤体１０１の中心縁側の面に取り付けられるか若しくはこれと反対側に取り付けられこの１０２凸部の片面をさらに１０４外周リング内側へ取り付ける構造とすることもできる。つまり１０２凸部を１０３と１０４で挟み込むような構造である
【００１９】
缶飲料の缶３００への取り付けは図２の示すように、缶上に被せて前記１０２凸部を缶溝部３０１へと挿入する形となる。(b)が詳細に示している通りである
【００２０】
図２(c)においては缶飲料の飲み口清掃具を小さい缶飲料の缶上に設置している図である。
【００２１】
１０４外周リングは大きい缶飲料の缶も小さい缶飲料の缶もその飲み口の外周より大きい構造となっており、どちらの缶も今リングの全体部分若しくは一部の部位が接して３００缶を支持する。
【００２２】
１０４外周リングに対しての１０３凸部ガイドと１０２凸部の取り付け位置と小さい缶を挟み込むために設置されている１０５支持部とは対構造となる。
つまり１０４外周リング上にあって１０２凸部と１０５支持部とは対位置に設置されている。
【００２３】
上記において前記１０２凸部と１０５支持部の間に缶が固定される構造となる。
【００２４】
このように凸部１０２を使用して缶溝部３０１を清掃することが出来るが、この凸部１０２をウレタン素材や１０２凸表部表面に布を張った構造として汚れをふき取ることもできる。
【００２５】
この場合これら１０２凸部を交換する必要が発生するので図４に示す１０２凸部とこれを固定する１０１回転体に設けられている１０９取り付け穴に挿入される構造となっており、これら１０２を交換することが出来る。
【００２６】
図５にいおいては缶飲料の飲み口清掃具の凸部の取り付け位置の範囲を示している
【００２７】
この取り付け位置は缶の円周形状に沿って回転する１０２凸部を設置する位置において大小の２種類の缶種に対応するために、１０２凸部２か所の取り付け位置が制限されるため記載している。
【００２８】
この１０２凸部の取り付け位置が離れすぎると大きい缶飲料には対応できても、小さい缶飲料の溝にうまく入らない。
【００２９】
このためこの２個の取り付け位置は１０２凸部間において１０度程度離すことが一番効率よい位置となる。これは１０２凸部の中心位置が左右どちらかの方向へ１０度回転することを示すものである。
【００３０】
更に缶飲料小において使用する支持部１０５の取り付け範囲は回転体中心部を真ん中にして左右１５度程度が望ましい。この場合の中心線の左右に端部を接して１０２凸部が上部に取り付けられている。
【００３１】
図６において缶飲料の飲み口清掃具の１１０タブ起しを取り付けている。
【００３２】
これにより清掃作業と開封が同じ器具により可能となるため設置が望ましいが設置しないこともできる。この場合は図１の基本的な形状となる。
【００３３】
図７においては上記１１１ペットボトルキャップ回しを１１０タブ起しの裏面に設置している。汚れやすいので汚れてもよい裏面に設置するのが望ましい。
【実施例２】
【００３４】
凸部１０２による清掃方法の実施例。
【００３５】
図３において缶飲料の飲み口清掃具の回転体１０１と缶飲料との間に２００布類・紙類を挟み込み、回転体を上から軽く押さえながら回転させて清掃を行う。
【００３６】
この場合挟み込んだ２００布類・紙類は３００缶の飲み口にある溝部の外周側の凸部分の清掃も同時に行うことが出来る。
【実施例３】
【００３７】
１０２凸部の先端部分の構造について
【００３８】
鋭角になる三角形上の先端若しくはこの先端部をＲをつけておむすびのような形状とする
【００３９】
前記Ｒ形状の直径の大きさは凸部１０２を構成する三角形の一辺の長さの５０パーセント未満により構成される。溝部に当たる面積が大きいと回転させて清掃する歳の発生する抵抗により効率よく回らないためである。
【実施例４】
【００４０】
凸部ガイド１０３と支持部１０５の１０４に対する構造についての実施例
【００４１】
凸部ガイドの高さと支持部１０５の高さが１０４外周リングに対して低く構成される。
【００４２】
１０４外周リングの高さに対して１０３及び１０５の高さは５パーセント以上５０パーセント以下にて構成される。
【００４３】
外周リングは缶飲料の外周をつかむために高い構想が望ましく、１０５支持部は小さい飲料缶を対象とするためと直径が小さく大きい飲料缶を使用する際に障害とはなりにくいためこの１０５の高さは同じ高さでも差し支えない。
【実施例５】
【００４４】
１０１円盤体の実施例
【００４５】
１０１円万態の外観構造について三角形上若しくは多角形形状のものも使用可能である。ただし１０４外周リングを内包する大きさでないと缶３００をうまく支持できないので清掃ができないことになる。
【産業上の利用可能性】
【００４６】
簡便にしかもいくつかの方法を使い缶上の清掃を行うことが出来るため、缶飲料を安心して飲んでいただくためのツールとして利用することもできる。
【符号の説明】
【００４７】
１０１  回転体
１０２  凸部
１０３  凸部ガイド
１０４  外周リング
１０５  支持部
１０９  凸部取付穴
１１０  タブ起し
１１１  ペットボトルキャップ回し
２００  布類・紙類
３００  缶
３０１  缶溝
３０３  タブ
【図１】
2020163236.tif 000003
【図２】
2020163236.tif 000004
【図３】
2020163236.tif 000005
【図４】
2020163236.tif 000006
【図５】
2020163236.tif 000007
【図６】
2020163236.tif 000008
【図７】
2020163236.tif 000009
【手続補正書】
【提出日】令和1年10月9日(2019.10.9)
【手続補正１】
【補正対象書類名】特許請求の範囲
【補正対象項目名】全文
【補正方法】変更
【補正の内容】
【特許請求の範囲】
【請求項１】
缶飲料の缶の飲み口の口径より大きい口径の円盤状の平板と円盤状の平板を回転体としこれと同径のリングを外周リングとしてこの回転体と外周リングの中心位置を同一にて回転体の片面上に一体に取り付け、外周リングに正三角形若しくは二等辺三角形若しくは直角三角形若しくはこれらの三角形状の凸部を１個若しくは複数個この外周リングの内側に凸部の一辺を回転体の面に接し若しくはこの面に対して平行にこの凸部の先端方向を外周リングとこの回転体の接合部と反対方向の外周リング外側へ突出するように配置し、更にもう一つの外周リングの口径より小さい缶口径に対応する小さい外周の円弧状の支持部を回転体上にこの凸部の相対位置方向に円弧のR凸を外側へ向けて凸部の一辺の接する若しくは平行に設置される回転体の同一面上に備える構造を特徴とする缶飲料の飲み口清掃具。
【請求項２】
前記複数個の凸部は回転体の中心よりこれに設置される前記外周リングに固定される一枚の円弧状のガイド板上に左右８度以上１８度未満の間隔をあけて取り付けられ、さらにこのガイド板を前記回転体に固定されることを特徴とする請求項１記載の缶飲料の飲み口清掃具。
【請求項３】
前記凸部の構造として、正三角形若しくは二等辺三角形若しくは直角三角形若しくはこれらの三角形状の組み合わせとして着脱することの出来る構造を持って配置されることを特徴とする請求項１乃至請求項２記載の缶飲料の飲み口清掃具。
【請求項４】
前記外周リングの口径より小さい缶口径に対応する小さい外周の円弧状の支持部は、この支持部の内周を小さな缶の飲み口外周の３０パーセントに接することを特徴とする請求項１乃至請求項３記載の飲み口清掃具。
【請求項５】
凸部の先端構造として円弧状にＲの付けられた構造とし、このＲの直径は構成する三角形の辺の長さの５０パーセント未満とし、長さがそれぞれ相違する場合はその平均値の値の５０パーセント未満として形成されることを特徴とする請求項１乃至請求項３記載の缶飲料の飲み口清掃具。
【請求項６】
缶飲料の缶のタブ起こしをする凸部を前記円盤体の辺端に取り付ける構造を有することを特徴とする請求項１乃至請求項４記載の缶飲料の飲み口清掃具。
【請求項７】
ペットボトルキャップあけの穴を前記タブ起こしの凸部の裏面に若しくは前記円盤状の平板の凸部が取り付けられた面の反対の面にこの円盤状の平板の中心に対して変心の位置に凹部構造として３ｍｍ以上５ｍｍの深さにてこのペットボトルキャップ開けの穴の中心を備えることを特徴とする請求項５記載の缶飲料の飲み口清掃具。
【手続補正２】
【補正対象書類名】明細書
【補正対象項目名】全文
【補正方法】変更
【補正の内容】
【発明の詳細な説明】
【技術分野】
【０００１】
本発明は、缶飲料の飲み口を効率よく清掃するものである。
【背景技術】
【０００２】
缶飲料の飲み口は常に外部環境にさらされており、汚れやすいものである。
【０００３】
飲み口にある溝部に汚れが付着しやすく、この溝部分の清掃が行い難い為これを行う清掃具が必要である。
【先行技術文献】
【特許文献】
【０００４】
【特許文献１】実開平５−５４２８４
【発明の概要】
【発明が解決しようとする課題】
【０００５】
缶飲料の飲み口にある溝部は清掃しにくく、かつ汚れがたまりやすい。
【０００６】
ティッシュやハンカチで拭くにも細かく折りたたんでこの溝部に挿入するか、押し込み外周にそって拭くしかなかった。
【０００７】
開示先行情報の様に、飲み口においてこの部分を覆うしかなかった。
【課題を解決するための手段】
【０００８】
缶飲料の飲み口にある溝部の清掃をするための凸部を備え、これを支持する缶の外周を内側に固定する為の外周リングとこれらを固定する円盤状の回転体部とで構成する。
【０００９】
この円盤状の回転体部を缶の外周にそって回転させることで、飲み口の溝部に凸部が入り込みこの部分の清掃を行うものである
【００１０】
又、この缶飲料の飲み口清掃具と缶の間に、布やティッシュを挟み込んで回転させることでよりよく清掃することが出来る。
【００１１】
【発明の効果】
【００１２】
缶飲料の飲み口の清掃が、簡便に行うことが出来る。
【００１３】
近くにティッシュや布類がない場合において、シャツの端を使い缶飲料の飲み口の清掃を行わないでよくなる。
【図面の簡単な説明】
【００１４】
【図１】本発明の実施形態に係る(a)は缶飲料の飲み口清掃具の正面図、(b)は上面図、(c)は下面図、(d)は側面図であり凸部１０２の側面が突出してる様子がうかがえる306a。
【図２】本発明の実施形態に係る缶飲料の飲み口清掃具を大きい缶飲料に取り付けを示す図 (a)、取り付け状況を示す拡大図であって１０２凸部が缶の溝に挿入している様子である。 (b)、小さい缶飲料に取り付けを示す図(c)である。
【図３】本発明の実施形態に係る缶飲料の飲み口清掃具と缶飲料の間に２００布類やティッシュなどの紙類を挟み込んで使用することを示す図である。
【図４】本発明の実施形態に係る缶飲料の飲み口清掃具の凸部の構造とこの交換するための取り付け構造を示す図である。
【図５】本発明の実施形態に係る缶飲料の飲み口清掃具の凸部の取り付け範囲と支持部の取り付け状況を示す図である。
【図６】本発明の実施形態に係る缶飲料の飲み口清掃具においてタブ起し１１０を付けた構造を示す斜視図である。
【図７】本発明の実施形態に係る缶飲料の飲み口清掃具においてペットボトルのキャップ回し１１１を110タブ起し若しくは１０１回転体裏面へ取り付けたことを示す図である。
【発明を実施するための最良の形態】
【００１５】
以下、本発明の実施例について図面を参照して説明する。
【実施例１】
【００１６】
基本的な構成の実施例。
【００１７】
缶飲料の飲み口清掃具の凸部１０２の構造は三角形状を基本としていて図１(a)に示すように並列していて、(c)が示すように缶飲料の飲み口清掃具の外周リング１０４内側に１０３凸部ガイドに取り付けられた１０２が取り付けられているために缶溝に入りやすい円弧形状を形成している。
【００１８】
１０２凸部は１０４外周リングと同じＲ形状を持つ凸部ガイド１０３に取り付けられるが、これらは１０４外周リングへ１０３凸部ガイドの凸部取り付け部と反対側の円弧状に盛り上がってる面を平行に取り付ける。図６(b)に示す。
【００１９】
凸部１０２はこの凸部ガイド１０３の内側面つまり円盤体１０１の中心縁側の面に取り付けられるか若しくはこれと反対側に取り付けられこの１０２凸部の片面をさらに１０４外周リング内側へ取り付ける構造とすることもできる。つまり１０２凸部を１０３と１０４で挟み込むような構造である
【００２０】
缶飲料の缶３００への取り付けは図２の示すように、缶上に被せて前記１０２凸部を缶溝部３０１へと挿入する形となる。(b)が詳細に示している通りである。
【００２１】
図２(c)においては缶飲料の飲み口清掃具を小さい缶飲料の缶上に設置している図である。
【００２２】
１０４外周リングは大きい缶飲料の缶も小さい缶飲料の缶もその飲み口の外周より大きい構造となっており、どちらの缶も１０４外周リングの全体部分若しくは一部の部位が接して３００缶を支持する。
【００２３】
１０４外周リングに対しての１０３凸部ガイドと１０２凸部の取り付け位置と小さい缶を挟み込むために設置されている１０５支持部とは対構造となる。
つまり１０４外周リング上にあって１０２凸部と１０５支持部とは対位置に設置されている。
【００２４】
大きい缶は直径５７ｍｍ外周リング内に入り、小さい缶は直径４７ｍｍ設定の１０５支持部と上記１０４外周リングに上下挟み込まれて固定される
【００２５】
このように凸部１０２を使用して缶溝部３０１を清掃することが出来るが、この凸部１０２をウレタン素材や１０２凸表部表面に布を張った構造として汚れをふき取ることもできる。
【００２６】
この場合これら１０２凸部を交換する必要が発生するので図４に示す１０２凸部とこれを固定する１０１回転体に設けられている１０９取り付け穴に挿入される構造となっており、これら１０２凸部を必要に応じて交換することが出来る。図４に記載している構造による。
【００２７】
図５にいおいては缶飲料の飲み口清掃具の１０２凸部の取り付け位置の範囲を示している
【００２８】
この取り付け位置は缶の円周形状に沿って回転する１０２凸部を設置する位置において大小の２種類の缶種に対応するために、１０２凸部２か所の取り付け位置が有効に機能する角度があるため記載している。
【００２９】
この１０２凸部の取り付け位置が離れすぎると大きい缶飲料には対応できても、小さい缶飲料の溝にうまく入らない。
【００３０】
このためこの２個の取り付け位置は１０２凸部の中心位置間において缶の中心位置(缶中心から直上方向への直線を伸ばす位置を基準とした場合)これより左右に８度離すが、これよりさらに１０度程度離すことが一番効率よい位置となる。これは１０２凸部の中心位置が左右どちらかの方向へ１０度回転することを示すものである。
【００３１】
更に小さい缶において使用する支持部１０５の取り付け範囲は回転体中心部を真ん中にして左右１５度程度左右に開く位置が望ましい。
【００３２】
図６において缶飲料の飲み口清掃具の１１０タブ起しを取り付けている。
【００３３】
これにより清掃作業と開封が同じ器具により可能となるため設置が望ましいが設置しないこともできる。この場合は図１の基本的な形状となる。
【００３４】
図７においては上記１１１ペットボトルキャップ回しを１１０タブ起しの裏面に設置している。汚れやすいので汚れてもよい裏面に設置するのが望ましい。
【００３５】
１１１ペットボトルキャップ回しは力の作用を考慮して、１１０タブ起しがある場合にはこのタブ起しがハンドルの作用をして開閉に係る力を伝達することが出来る。
【００３６】
また、１１０タブ起しが設置されない場合や上記ハンドル作用をもう少し効率よくするために、１１１ペットボトルキャップ回しの回転中心位置を１０１回転体の中心位置よりも外側方向へずらすことにより力作用を高めることが出来る。
【００３７】
上記１１１ペットボトルキャップ回しは凹部構造にてその深さを３ｍｍから５ｍｍの間にて設置する。
【実施例２】
【００３８】
凸部１０２による清掃方法の実施例。
【００３９】
図３において缶飲料の飲み口清掃具の回転体１０１と缶飲料との間に２００布類・紙類を挟み込み、回転体を上から軽く押さえながら回転させて清掃を行う。
【００４０】
この場合挟み込んだ２００布類・紙類は３００缶の飲み口にある溝部の外周側の凸部分の清掃も同時に行うことが出来る。
【実施例３】
【００４１】
１０２凸部の先端部分の構造について
【００４２】
鋭角になる三角形上の先端若しくはこの先端部をＲをつけておむすびのような形状とする
【００４３】
前記Ｒ形状の直径の大きさは凸部１０２を構成する三角形の一辺の長さの５０パーセント未満の直径により構成される。溝部に当たる面積が大きいと回転させて清掃する際に発生する抵抗により効率よく回らないためである。
【実施例４】
【００４４】
凸部ガイド１０３と支持部１０５の外周リング１０４に対する構造についての実施例
【００４５】
凸部ガイドの高さと支持部１０５の高さが１０４外周リングに対して低く構成される。
【００４６】
１０４外周リングの高さに対して１０３及び１０５の高さは５パーセント以上５０パーセント以下の高さにて１０４外周リングに対して低く構成される。
【００４７】
１０４外周リングは缶飲料の外周をつかむために凸部の高さが高く設定される方が望ましく、１０５支持部は小さい飲料缶を対象とするためと直径が小さく大きい飲料缶を使用する際に障害とはなりにくいためこの１０５支持部の高さは１０４外周リングの高さと比較して低く設定されるが、同じ高さでも差し支えない。
【実施例５】
【００４８】
１０１回転体の実施例
【００４９】
１０１回転体の外観構造について三角形上若しくは多角形形状のものも使用可能である。ただし１０４外周リングを内包する大きさでないと缶３００をうまく支持できないので清掃するための１０２凸部が８度から１８度の理想範囲での設置が困難になる。
【００５０】
つまり三角形上若しくは多角形形状のものである場合には、缶外周直径図５記載の５７ｍｍ以上の円を内包した大きさとする必要がある
【産業上の利用可能性】
【００５１】
簡便にしかもいくつかの方法を使い缶上の清掃を行うことが出来るため、缶飲料を安心して飲んでいただくためのツールとして利用することもできる。
【符号の説明】
【００５２】
１０１  回転体
１０２  凸部
１０３  凸部ガイド
１０４  外周リング
１０５  支持部
１０９  凸部取付穴
１１０  タブ起し
１１１  ペットボトルキャップ回し
２００  布類・紙類
３００  缶
３０１  缶溝
３０３  タブ
３０６ａ  凸部側面
【手続補正３】
【補正対象書類名】図面
【補正対象項目名】図５
【補正方法】変更
【補正の内容】
【図５】
2020163236.tif 000010